(57)【要約】【課題】  上側扉を簡単に開放状態で保持できるようにする。【解決手段】  筐体内に消火用ホースが内巻式に収容されるホース収容部を有し、ホース収容部の前面開口部にメンテ扉と下側扉と前傾扉とを備え、メンテ扉は、上方向に開放されて、メンテ扉の回転軸が貫通する軸孔を長孔としてスライドさせて押し込むとともに、メンテ扉の開放状態を保持する当たり板が配置されているものである。したがって、簡単な構造であるとともに、保持させる操作が簡便である。【選択図】  図３
2006271696.tif 000002
【特許請求の範囲】
【請求項１】
筐体内に消火用ホースが内巻式に収容されるホース収容部を有し、該ホース収容部の前面開口部に上側扉と下側扉とを備える消火栓装置において、
前記上側扉は、上方向に開放されて、前記上側扉の回転軸が貫通する軸孔を長孔としてスライドさせて押し込むとともに、前記上側扉の開放状態を保持する当たり部が配置されていることを特徴とする消火栓装置。
【請求項２】
当たり部は、押し込まれた上側扉の端部が当接され、ホース収容部のバケットに形成されているものである請求項１の消火栓装置。
【請求項３】
下側扉は、前傾扉であって、開放時にホース収容部の開口部を消火用ホースが引き出せる程度に露出させるものである請求項１の消火栓装置。
【発明の詳細な説明】
【技術分野】
【０００１】
この発明は、道路用トンネル等に用いられる消火栓装置に関する。
【背景技術】
【０００２】
例えば、消火用ホースを内巻式に収容し、その前面が上側扉と下側扉とに分割に形成された消火栓装置が特開２００３−３８６７５号公報に示されている。このような消火栓装置における上側扉は、消火用ホースの収納時や点検時等に開放されるもので、メンテ扉（点検用扉）といわれ、作業時に開放状態を維持できるように、いわゆるつっかえ棒のようなステーを引っ掛ける構造を用いていることが多い。
【特許文献１】特開２００３−３８６７５号公報
【発明の開示】
【発明が解決しようとする課題】
【０００３】
このような消火栓装置のメンテ扉は、開放状態を維持するために、メンテ扉を開放状態に押さえながら、ステーを引掛けるように操作するという、一人で行うには面倒な作業が必要となっていた。
【０００４】
したがって、この発明では、上側扉と下側扉とを有する消火栓装置の上側扉を簡単に開放状態で保持できるようにすることを目的としている。
【課題を解決するための手段】
【０００５】
この発明の請求項１に係る消火栓装置は、筐体内に消火用ホースが内巻式に収容されるホース収容部を有し、該ホース収容部の前面開口部に上側扉と下側扉とを備える消火栓装置において、前記上側扉は、上方向に開放されて、前記上側扉の回転軸が貫通する軸孔を長孔としてスライドさせて押し込むとともに、前記上側扉の開放状態を保持する当たり部が配置されていることを特徴とするものである。
【０００６】
また、この発明の請求項２では、当たり部は、押し込まれた上側扉の端部が当接され、ホース収容部のバケットに形成されているものである。
【０００７】
また、この発明の請求項３では、下側扉は、前傾扉であって、開放時にホース収容部の開口部を消火用ホースが引き出せる程度に露出させるものである。
【発明の効果】
【０００８】
請求項１に係る消火栓装置は、上側扉の軸孔を長孔として、かつ、押し込んだときの当たり部を形成しておくだけで、開放状態を保持でき、簡単な構造であるとともに、操作者が上側扉を持ち上げたときにそのまま上側扉を筐体内に押し込むだけで、上側扉の開放状態を保持でき、保持させる操作が簡便である。
【０００９】
また、請求項２では、ホース収納部のバケットに上側扉の端部を当てて保持するので、多くの部材を必要とせず簡単な構造である。
【００１０】
また、請求項３では、ホース引き出し時に下側扉のみを開放すれば十分消火用ホースを引き出すことができる。
【発明を実施するための最良の形態】
【００１１】
以下、この発明の一実施の形態について図面によって説明する。
【００１２】
図１は消火栓装置の正面を示すものであり、図２は消火栓装置の外観を示すものである。図において、消火栓装置１００は、消火用ホースを内巻に収納してなる、いわゆる内巻式の消火栓装置である。この消火栓装置１００は、例えばトンネル内の車道に隣接する監査路上に設置されたり、トンネルの内壁に埋設されて設置されたりするものである。
【００１３】
このような、消火栓装置１００は、消火栓収納部１００ａ、電気機器部１００ｂおよび消火器収納部１００ｃとに区分され、消火栓収納部１００ａは、その筐体１０１内に、先端に消火用のノズル３０を有するホース１０４、そのホース１０４を内巻に収納するホース収納部１０５、消火用水供給用配管１０６、三方切替弁１０７、圧力調整弁１０８、消火栓弁１０９、消防隊用給水栓１１０等を備えている。
【００１４】
消火栓収納部１００ａにおいて、ホース収容部１０５が設けられ、その前面には、ホース収容部１０５内よりホース１０４を引き出すため、及びホース収容部１０５内にホース１０４を収納するための開口部１０５ａが設けられており、筐体１０１の前面には、ホース収容部１０５の開口部１０５ａを筐体１０１の外部に露出させる、消火栓開口部１０１ａが設けられている。
【００１５】
この消火栓開口部１０１ａには、開閉自在の前面扉が前傾扉６とメンテ扉（点検用扉）６１との二つに分割して構成されていて、前傾扉６は、消火栓開口部１０１ａの下縁を支点として上縁側が前方に開放動作するように設けられ、また、メンテ扉６１は、消火栓開口部１０１ａの上縁を支点として下縁側が前方に開放動作するように設けられている。
【００１６】
また、消火器収納部１００ｃにおいて、その筐体１０１の内壁下面上に、図示しない消火器を通常２本備えている。筐体１０１の正面には、消火器を出し入れ自由とするため、消火器開口部を開閉自在にする前面扉として、左側を支点として横開きに開放動作する消火器扉６ｃが設けられている。
【００１７】
また、電気機器部１００ｂにおいて、図１に示されるように、消火栓収納部１００ａおよび消火器収納部１００ｃの間の筐体１０１前面部分に取付板８１が四隅のねじ止めによって取り付けられていて、電気機器として、消火栓装置１００の位置を示すための表示灯８２、事故等の発生時に緊急に通報するための発信機８３、発信機８３使用時に発信に対する応答の有無を示すための応答ランプ８４、および、点検時等に図示しない防災センタと通話する際に用いられる電話ジャック８５が装着されている。これら以外に、非常用コンセントやスピーカが組み合わされてもよく、また、上記各機器をすべて具備している必要はない。取付板８１は、筐体１０１に着脱可能であり、４隅をねじ止めしているが、それ以外の取付方式であってもよく、扉方式に構成してもよい。
【００１８】
つぎに、ホース収容部１０５は、ホースバケット１１２から形成されている。このホースバケット１１２は、筐体１０１の内壁上面から内壁下面に至る２本の棒状体１１３とその２本の棒状体１１３から筐体１０１の内壁背面に至る略Ｌ字状に屈曲した２枚の帯体１１４とからなり、２本の棒状体１１３の間に開口部１０５ａが形成されている。また、このホースバケット１１２の２枚の帯体１１４と筐体１０１の内壁上面と内壁下面との間にはその四隅に隅部開口部１１３ａが設けられている。また、図３に示すように、棒状体１１３の所定位置に略Ｌ字状の当たり板６２が溶接等で固定されている。
【００１９】
そして、図３においては、メンテ扉６１が通常の閉鎖状態のメンテ扉６１ａと開放状態のメンテ扉６１ｂとを複合的に表わしている。メンテ扉６１は、消火栓開口部１０１ａの上側に支点としての回転軸６３が形成され、下縁側が前方かつ上方向に開放動作するように設けられている。そして、その回転軸６３が貫通される軸孔６４が長孔状態に形成されている。
【００２０】
このメンテ扉６１の開放動作について、まず閉鎖状態のメンテ扉６１ａの詳細に説明しないロック状態を解除して、操作者はメンテ扉６１ａの下端部分を持ち、引き上げる操作によって、回転軸６３を支点として上方向へ回転動作させる。
【００２１】
そして、操作者が持っているメンテ扉６１の端部を押し、メンテ扉６１ｂのように筐体１０１へ押し込むと、メンテ扉６１ｂの逆側の端部がホースバケット１１２に当たり、ホースバケット１１２の棒状体１１３に設けられた当たり板６２に下側から当接させることによって、メンテ扉６１ｂの開放状態を保持させることができる。
【００２２】
このときメンテ扉６１ｂは、重力によって回転軸６３を中心としてメンテ扉６１ｂの前方が下方へ移動する方向に回転しようとしており、その回転を、メンテ扉６１の奥側端部を当たり板６２が押さえることによって防止し、メンテ扉６１ｂの開放状態を維持させている。したがって、回転軸６３が貫通する軸孔６４の長さは、メンテ扉６１ｂが筐体１０１内に押し込まれる長さがあればよく、ここでは当たり板６２に届く長さがあればよい。
【００２３】
なお、筐体１０１の奥行きが大きく、ホースバケット１１２までの距離がある場合、メンテ扉６１ｂの軸孔６４が長くなり、回転軸６３がメンテ扉６１ｂの重心位置を超える場合が考えられ、その際には、メンテ扉６１ｂの開放状態での回転方向は逆方向となることから、当たり板６２のメンテ扉６１ｂへの当接方向は逆側とする必要がある。
【００２４】
このように、当たり部としての当たり板６２はこの形状および配置に限らず、メンテ扉６１の回動による閉動作を防止できればよく、また、メンテ扉６１は、筐体１０１内へホースバケット１１２の邪魔とならないように押し込めればよい。
【００２５】
また、開放状態のメンテ扉６１ｂの保持角度は、若干水平より上向き程度がよく、その角度が筐体１０１内に押し込みやすく、また、閉鎖する作業時にそれほど持ち上げる必要がなく、開閉作業が行いやすい。
【００２６】
このような実施の形態において、筐体１０１内に消火用ホース１０４が内巻式に収容されるホース収容部１０５を有し、ホース収容部１０５の前面開口部１０１ａに上側扉としてのメンテ扉６１と下側扉としての前傾扉６を備え、メンテ扉６１は、上方向に開放されて、メンテ扉６１の回転軸６３が貫通する軸孔６４を長孔としてスライドさせて押し込むとともに、メンテ扉６１の開放状態を保持する当たり部としての当たり板６２が配置されているものである。したがって、メンテ扉６１の軸孔６４を長孔として、かつ、押し込んだときの当たり板６２を形成しておくだけで、開放状態を保持でき、簡単な構造であるとともに、操作者がメンテ扉６１を持ち上げたときにそのままメンテ扉６１を筐体１０１内に押し込むだけで、メンテ扉６１の開放状態を保持でき、保持させる操作が簡便である。
【００２７】
また、当たり板６２は、押し込まれたメンテ扉６１の端部が当接され、ホースバケット１１２に形成されているものである。したがって、ホースバケット１１２にメンテ扉６１の端部を当てて保持するので、多くの部材を必要とせず簡単な構造である。
【００２８】
また、前傾扉６は、開放時にホースバケット１１２の開口部１０５ａを消火用ホース１０４が引き出せる程度に露出させるものである。したがって、ホース１０４引き出し時に前傾扉６のみを開放すれば十分消火用ホース１０４を引き出すことができる。
【図面の簡単な説明】
【００２９】
【図１】実施の形態１の消火栓装置の正面図。
【図２】図１の消火栓装置の外観を示す斜視図。
【図３】図１の消火栓装置の断面図。
【符号の説明】
【００３０】
１０１  筐体
１０４  消火用ホース
１０５  ホース収容部
６      前傾扉
６１    メンテ扉（点検用扉）
６２    当たり板
６３    回転軸
６４    軸孔
【図１】
2006271696.tif 000003
【図２】
2006271696.tif 000004
【図３】
2006271696.tif 000005